(57)【要約】【課題】  指導に対する被指導者の反応を勘案して指導を適切に支援することが出来る指導支援システムを提供する。【解決手段】  指導支援システムは、対象の被指導者Ｕ１からの情報を認識する情報認識部３１２と、被指導者Ｕ１からの情報Ｊ１に対し、指導反応予測部３１１により予測される対被指導者Ｕ１の意欲及び行動の一方または両方が所定の意欲及び所定の行動の一方または両方となるような指導補助情報Ｊ２１〜Ｊ２３を探索する指導補助情報探索部３１３と、探索された指導補助情報を出力部２４０，２７０に出力させる出力制御部２１０とを備える。【選択図】図８
2019109859.tif 000002
【特許請求の範囲】
【請求項１】
情報を出力する出力部と、
指導の内容及び指導の仕方の一方又は両方を示す指導補助情報と被指導者からの情報とに基づいて、指導に対する前記被指導者の意欲及び前記被指導者の指導に応じた前記被指導者の行動の一方または両方を予測する指導反応予測部と、
対象の被指導者からの情報を認識する情報認識部と、
前記情報認識部により認識された前記対象の被指導者からの情報に対し、前記指導反応予測部により予測される前記対象の被指導者の意欲及び行動の一方または両方が所定の意欲及び所定の行動の一方または両方となるような前記指導補助情報を探索する指導補助情報探索部と、
前記探索された前記指導補助情報を前記出力部に出力させる出力制御部とを
を備えることを特徴とする指導支援システム。
【請求項２】
請求項１記載の指導支援システムにおいて、
実際に行った指導の内容及び指導の仕方の一方または両方と、当該指導を実際に受けた被指導者からの情報と、当該指導以降の被指導者の意欲及び行動の一方または両方とを認識する実情報認識部を備え、
前記指導反応予測部は、前記実情報認識部により認識された実際に行った指導の内容及び指導の仕方の一方または両方と、当該指導を実際に受けた被指導者からの情報と、当該指導以降の被指導者の意欲及び行動の一方または両方とを用いて予測の学習を行うように構成されていることを特徴とする指導支援システム。
【請求項３】
請求項２記載の指導支援システムにおいて、
被指導者による入力を受け付ける被指導者端末入力部と、通信を行う被指導者端末通信部と、情報を出力する被指導者端末出力部とを備える被指導者端末と、
指導者による入力を受け付ける指導者端末入力部と、通信を行う指導者端末通信部と、情報を出力する指導者端末出力部とを備える指導者端末とを備え、
前記被指導者端末と前記指導者端末とは、各通信部を介して互いに通信することにより、前記指導者による前記被指導者への遠隔での指導を支援するように構成され、
前記実情報認識部は、被指導者端末入力部及び指導者端末入力部の一方または両方において前記遠隔での指導に際して入力された情報に基づいて、実際に行った指導の内容及び指導の仕方の一方または両方と、当該指導を実際に受けた被指導者からの情報と、当該指導以降の被指導者の意欲及び行動の一方または両方とを認識するように構成されていることを特徴とする指導支援システム。
【請求項４】
請求項３記載の指導支援システムにおいて、
前記実情報認識部は、被指導者端末入力部において前記遠隔での指導に際して入力された情報に基づいて、当該指導を実際に受けた被指導者からの情報と、当該指導以降の被指導者の意欲及び行動の一方または両方とを認識するように構成されていることを特徴とする指導支援システム。
【請求項５】
請求項３又は４記載の指導支援システムにおいて、
前記実情報認識部は、指導者端末入力部において前記遠隔での指導に際して入力された情報に基づいて、実際に行った指導の内容及び指導の仕方の一方または両方を認識するように構成されていることを特徴とする指導支援システム。
【請求項６】
請求項３〜５のうちいずれか１項記載の指導支援システムにおいて、
前記実情報認識部は、指導者端末入力部において前記遠隔での指導に際して入力された指導者の音声情報及び指導者の表情を示す画像の一方または両方に基づいて、実際に行った指導の仕方を認識するように構成されていることを特徴とする指導支援システム。
【請求項７】
請求項１〜６のうちいずれか１項記載の指導支援システムにおいて、
前記指導反応予測部は、指導の内容及び指導の仕方の一方又は両方を示す指導補助情報と被指導者の健康状態を表す被指導者健康状態情報とに基づいて、前記被指導者の指導に対する前記被指導者の意欲及び前記被指導者の指導に応じた前記被指導者の行動の一方または両方に加え、指導の前後における前記被指導者の健康状態の変化を予測するように構成され、
前記指導補助情報探索部は、前記情報認識部により認識された前記対象の被指導者の反応情報に対し、前記指導反応予測部により予測される前記対象の被指導者の意欲及び行動の一方または両方が所定の意欲及び所定の行動の一方または両方となり、かつ、前記指導反応予測部により予測される前記指導の前後における前記被指導者の健康状態の変化が所定の変化となるような前記指導補助情報を探索するように構成されていることを特徴とする指導支援システム。
【請求項８】
情報を出力する出力部と、
指導の内容及び指導の仕方の一方又は両方を示す指導補助情報と被指導者からの情報とに基づいて、指導に対する前記被指導者の意欲及び前記被指導者の指導に応じた前記被指導者の行動の一方または両方を予測する指導反応予測部とを備えるシステムが実行する方法であって、
対象の被指導者からの情報を認識する情報認識ステップと、
前記情報認識ステップにおいて認識された前記対象の被指導者からの情報に対し、前記指導反応予測部により予測される前記対象の被指導者の意欲及び行動の一方または両方が所定の意欲及び所定の行動の一方または両方となるような前記指導補助情報を探索する指導補助情報探索ステップと、
前記探索された前記指導補助情報を前記出力部に出力させる出力制御ステップとを
を含むことを特徴とする指導支援方法。
【請求項９】
情報を出力する出力部と、
指導の内容及び指導の仕方の一方又は両方を示す指導補助情報と被指導者からの情報とに基づいて、指導に対する前記被指導者の意欲及び前記被指導者の指導に応じた前記被指導者の行動の一方または両方を予測する指導反応予測部とを備えるシステムに、
対象の被指導者からの情報を認識する情報認識ステップと、
前記情報認識ステップにおいて認識された前記対象の被指導者からの情報に対し、前記指導反応予測部により予測される前記対象の被指導者の意欲及び行動の一方または両方が所定の意欲及び所定の行動の一方または両方となるような前記指導補助情報を探索する指導補助情報探索ステップと、
前記探索された前記指導補助情報を前記出力部に出力させる出力制御ステップとを
を実行させることを特徴とする指導支援プログラム。
【発明の詳細な説明】
【技術分野】
【０００１】
本発明は、指導支援システム、指導支援方法及び指導支援プログラムに関する。
【背景技術】
【０００２】
従来、患者の疾患のコンピュータによる長期管理システムが知られている（例えば特許文献１参照）。
【０００３】
特許文献１のシステムは、患者の健康状態を評価した後に、患者の治療を評価し、調整を行う。当該システムは、治療の結果を最大にし、副作用を最小限度に抑えるために、患者の体調に基づき患者の現在の療法を再検討し、投薬の処方量の調整など療法の様々なパラメータを調整し、これらの変化の効果を監視する。
【先行技術文献】
【特許文献】
【０００４】
【特許文献１】特開２００８−２１０３９９号公報
【発明の概要】
【発明が解決しようとする課題】
【０００５】
生活習慣病のように、特定の療法よりも患者の行動が疾患に大きな影響をもたらす場合、患者の意欲又は行動等の指導に対する患者の反応を勘案して指導をすることが重要になる。指導の仕方によっては、患者が指導に従って疾患が快方に向かうこともあれば、患者が指導に従わずに疾患に悪影響を及ぼすおそれもある。しかし、特許文献１記載の技術は、患者の体調に基づき投薬の処方量の調整など療法の調整にとどまり、指導に対する患者の反応を勘案した指導の仕方については考慮していなかった。
【０００６】
このような問題に鑑み、本発明は、指導に対する被指導者の反応を勘案して指導を適切に支援することが出来る指導支援システム、指導支援方法及び指導支援プログラムを提供することを目的とする。
【課題を解決するための手段】
【０００７】
本発明の指導支援システムは、
情報を出力する出力部と、
指導の内容及び指導の仕方の一方又は両方を示す指導補助情報と被指導者からの情報とに基づいて、指導に対する前記被指導者の意欲及び前記被指導者の指導に応じた前記被指導者の行動の一方または両方を予測する指導反応予測部と、
対象の被指導者からの情報を認識する情報認識部と、
前記情報認識部により認識された前記対象の被指導者からの情報に対し、前記指導反応予測部により予測される前記対象の被指導者の意欲及び行動の一方または両方が所定の意欲及び所定の行動の一方または両方となるような前記指導補助情報を探索する指導補助情報探索部と、
前記探索された前記指導補助情報を前記出力部に出力させる出力制御部とを
を備えることを特徴とする。
【０００８】
本発明の指導支援システムによれば、指導補助情報探索部により、前記情報認識部により認識された前記対象の被指導者からの情報に対し、指導反応予測部により予測される前記対象の被指導者の意欲及び行動の一方または両方が所定の意欲及び所定の行動の一方または両方となるような前記指導補助情報が探索される。
【０００９】
そして、出力制御部により、探索された指導補助情報が出力部に出力される。
【００１０】
これにより、指導反応予測部により予測される対象の被指導者の意欲及び行動を勘案して指導を適切に支援することが出来る。
【００１１】
本発明の指導支援システムにおいて、
実際に行った指導の内容及び指導の仕方の一方または両方と、当該指導を実際に受けた被指導者からの情報と、当該指導以降の被指導者の意欲及び行動の一方または両方とを認識する実情報認識部を備え、
前記指導反応予測部は、前記実情報認識部により認識された実際に行った指導の内容及び指導の仕方の一方または両方と、当該指導を実際に受けた被指導者からの情報と、当該指導以降の被指導者の意欲及び行動の一方または両方とを用いて予測の学習を行うように構成されていることが好ましい。
【００１２】
本発明の指導支援システムによれば、前記実情報認識部により、実際に行った指導の内容及び指導の仕方の一方または両方と、当該指導が実際に行われた被指導者からの情報と、指導を受けた際の被指導者の意欲及び行動の一方または両方とが認識される。
【００１３】
そして、前記指導反応予測部により、認識された実際に行った指導の内容及び指導の仕方の一方または両方と、当該指導が実際に行われた被指導者の反応情報と、当該指導以降の被指導者の意欲及び行動の一方または両方とを用いて予測の学習が行われる。
【００１４】
当該学習を繰り返すことにより、指導反応予測部による対象の被指導者の意欲及び行動の予測精度が向上する。
【００１５】
このように予測精度が向上した対象の被指導者の意欲及び行動が勘案されて指導の支援が行われることにより、指導をより適切に支援することが出来る。
【００１６】
当該の指導支援システムにおいて、
被指導者による入力を受け付ける被指導者端末入力部と、通信を行う被指導者端末通信部と、情報を出力する被指導者端末出力部とを備える被指導者端末と、
指導者による入力を受け付ける指導者端末入力部と、通信を行う指導者端末通信部と、情報を出力する指導者端末出力部とを備える指導者端末とを備え、
前記被指導者端末と前記指導者端末とは、各通信部を介して互いに通信することにより、前記指導者による前記被指導者への遠隔での指導を支援するように構成され、
前記実情報認識部は、被指導者端末入力部及び指導者端末入力部の一方または両方において前記遠隔での指導に際して入力された情報に基づいて、実際に行った指導の内容及び指導の仕方の一方または両方と、当該指導を実際に受けた被指導者からの情報と、当該指導以降の被指導者の意欲及び行動の一方または両方とを認識するように構成されていることが好ましい。
【００１７】
当該構成の指導支援システムによれば、実情報認識部が、被指導者端末入力部及び指導者端末入力部の一方または両方において遠隔での指導に際して入力された情報に基づいて、実際に行った指導の内容及び指導の仕方の一方または両方と、当該指導を実際に受けた被指導者からの情報と、当該指導以降の被指導者の意欲及び行動の一方または両方とを認識するように構成されている。
【００１８】
そして、前記指導反応予測部により、前記実情報認識部により認識された実際に行った指導の内容及び指導の仕方の一方または両方と、当該指導を実際に受けた被指導者からの情報と、当該指導以降の被指導者の意欲及び行動の一方または両方とを用いて予測の学習が行われる。
【００１９】
これにより、実際の遠隔での指導に際して取得される情報が活用されて学習が行われるので、学習の精度を向上させることができるとともに、情報収集に関する指導者又は被指導者学習の作業負荷の軽減が図れる。
【００２０】
当該の指導支援システムにおいて、
前記実情報認識部は、被指導者端末入力部において前記遠隔での指導に際して入力された情報に基づいて、当該指導を実際に受けた被指導者からの情報と、当該指導以降の被指導者の意欲及び行動の一方または両方とを認識するように構成されていることが好ましい。
【００２１】
当該構成の指導支援システムによれば、被指導者端末入力部において入力された情報は被指導者が入力した情報であると推察されるところ、被指導者端末入力部において前記遠隔での指導に際して入力された情報に基づいて、実情報認識部により、当該指導を実際に受けた被指導者からの情報と、当該指導以降の被指導者の意欲及び行動の一方または両方とが認識される。
【００２２】
これにより、被指導者由来の情報を指導者由来の情報と区別し、予測の学習を行うことができるので、予測の精度を向上させることができる。
【００２３】
当該の指導支援システムにおいて、
前記実情報認識部は、指導者端末入力部において前記遠隔での指導に際して入力された情報に基づいて、実際に行った指導の内容及び指導の仕方の一方または両方を認識するように構成されていることが好ましい。
【００２４】
当該構成の指導支援システムによれば、指導者端末入力部において入力された情報は指導者が入力した情報であると推察されるところ、指導者端末入力部において前記遠隔での指導に際して入力された情報に基づいて、実情報認識情報部により、実際に行われた指導の内容及び指導の仕方の一方または両方が認識される。
【００２５】
これにより、指導者由来の情報を被指導者由来の情報と区別し、予測の学習を行うことができるので、予測の精度を向上させることができる。
【００２６】
当該の指導支援システムにおいて、
前記実情報認識部は、指導者端末入力部において前記遠隔での指導に際して入力された指導者の音声情報及び指導者の表情を示す画像の一方または両方に基づいて、実際に行った指導の仕方を認識するように構成されていることが好ましい。
【００２７】
当該構成の指導支援システムによれば、指導者端末入力部において入力された情報は指導者が入力した情報であると推察されるところ、被指導者の意欲に強く影響を与えると推察される指導者の音声情報又は指導者の表情を示す画像の一方または両方が、被指導者の音声又は表情を示す画像と区別されたうえで予測の学習を行うことができるので、予測の精度を向上させることができる。
【００２８】
本発明の指導支援システムにおいて、
前記指導反応予測部は、指導の内容及び指導の仕方の一方又は両方を示す指導補助情報と被指導者の健康状態を表す被指導者健康状態情報とに基づいて、前記被指導者の指導に対する前記被指導者の意欲及び前記被指導者の指導に応じた前記被指導者の行動の一方または両方に加え、指導の前後における前記被指導者の健康状態の変化を予測するように構成され、
前記指導補助情報探索部は、前記情報認識部により認識された前記対象の被指導者の反応情報に対し、前記指導反応予測部により予測される前記対象の被指導者の意欲及び行動の一方または両方が所定の意欲及び所定の行動の一方または両方となり、かつ、前記指導反応予測部により予測される前記指導の前後における前記被指導者の健康状態の変化が所定の変化となるような前記指導補助情報を探索するように構成されていることが好ましい。
【００２９】
当該構成の指導支援システムによれば、被指導者の健康状態の変化の予測がさらに勘案されて指導補助情報が探索される。これにより、対象の被指導者の意欲及び行動に加え、被指導者の健康状態の変化が勘案されて指導が支援される。
【図面の簡単な説明】
【００３０】
【図１】指導支援システムの一例の全体構成図。
【図２Ａ】第１要素記憶部に記憶された情報の例を示す図。
【図２Ｂ】第２要素記憶部に記憶された情報の例を示す図。
【図２Ｃ】被指導者情報記憶部に記憶された情報の例を示す図。
【図３】図３Ａは、アンケート記憶部に記憶された情報の例を示す図で、図３Ｂは、アンケート回答記憶部に記憶された情報の例を示す図で、図３Ｃは、履歴記憶部に蓄積された情報の例を示す図。
【図４】指導支援処理のフローチャート。
【図５】指導前処理のフローチャート。
【図６】指導時処理のフローチャート。
【図７】予測部による予測を用いた評価部による評価値を得る処理の説明図。
【図８】評価部による評価値を用いた最適な指導補助情報の探索の説明図。
【図９】指導者端末のタッチパネルに出力される選択された指導の要素を含む画面の一例を示す図。
【図１０】指導後処理のフローチャート。
【図１１】基準更新処理のフローチャート。
【発明を実施するための形態】
【００３１】
図１〜図１１を参照しながら、本発明の指導支援システムについて説明する。
【００３２】
（指導支援システム）
指導支援システムは、指導者による被指導者に対する指導を支援するシステムである。
【００３３】
指導支援システムは、図１に示されるように、一又は複数の被指導者端末１００と一又は複数の指導者端末２００と指導支援サーバ３００と、を備える。一又は複数の被指導者端末１００、一又は複数の指導者端末２００及び指導支援サーバ３００は、インターネット等のネットワークを介して相互に通信可能に構成されている。なお、図１ではそれぞれ一つの被指導者端末１００及び指導者端末２００を図示している。
【００３４】
（被指導者端末）
被指導者端末１００は、被指導者端末制御部１１０と、被指導者端末記憶部１２０と、被指導者端末通信部１３０と、タッチパネル１４０と、カメラ１５０と、マイク１６０と、スピーカー１７０とを備える。タッチパネル１４０、カメラ１５０及びマイク１６０のそれぞれが、本発明の「被指導者端末入力部」の一例に相当する。また、タッチパネル１４０及びスピーカー１７０のそれぞれが、本発明の「被指導者端末出力部」の一例に相当する。
【００３５】
被指導者端末１００は、タブレット型端末またはスマートフォンなど、被指導者端末１００のユーザである被指導者Ｕ１による携帯が可能なようにサイズ、形状および重量が設計されているコンピュータにより構成されている。被指導者端末１００は、デスクトップコンピュータなど、特定箇所に設置されるように、サイズ、形状および重量が設計されているコンピュータにより構成されていてもよい。
【００３６】
被指導者端末制御部１１０は、指導支援サーバ３００からダウンロードした被指導支援プログラムがインストールされている。被指導支援プログラムが起動されることにより、被指導者端末制御部１１０は、後述する演算処理を実行するように構成されている。
【００３７】
被指導者端末記憶部１２０は、被指導者端末１００のユーザである被指導者Ｕ１の被指導者ＩＤを記憶している。被指導者Ｕ１は、例えば、生活習慣病等の慢性疾患にかかったため、もしくは、慢性疾患の予防のため、遠隔診療又は遠隔での栄養管理指導を受けている人である。被指導者Ｕ１が、本発明の「対象の被指導者」に相当する。
【００３８】
被指導者端末通信部１３０は、有線通信またはＷｉＦｉ（登録商標）等の通信規格にしたがった無線通信を介して、指導支援サーバ３００などの外部端末と相互通信するよう構成されている。
【００３９】
また、ウェアラブルセンサＷは被指導者Ｕ１が着用可能に構成されている。ウェアラブルセンサＷは、被指導者Ｕ１の生体情報若しくは行動情報又はウェアラブルセンサＷの着用状態を認識し、当該情報を定期的に又は被指導者Ｕ１の操作に応じて指導支援サーバ３００に送信するように構成されている。
【００４０】
なお、一の装置が情報を「認識する」とは、一の装置が他の装置から当該情報を受信すること、一の装置が当該一の装置に接続された記憶媒体に記憶された情報を読み取ること、一の装置が当該一の装置に接続されたセンサから出力された信号に基づいて情報を取得すること、一の装置が、受信した情報又は記憶媒体に記憶された情報又はセンサから取得した情報に基づいて、所定の演算処理（計算処理又は検索処理など）を実行することにより当該情報を導出すること、一の装置が他の装置による演算処理結果としての当該情報を当該他の装置から受信すること、一の装置が当該受信信号にしたがって内部記憶装置又は外部記憶装置から当該情報を読み取ること等、当該情報を取得するためのあらゆる演算処理が実行されることを意味する。
【００４１】
被指導者Ｕ１の生体情報は、例えば、被指導者Ｕ１の血圧、心拍数、呼吸数、体温、体重及び身長である。
【００４２】
被指導者Ｕ１の行動情報は、例えば、被指導者Ｕ１の睡眠時間、被指導者Ｕ１の歩数、被指導者Ｕ１が歩いた時間及び被指導者Ｕ１が走った時間である。
【００４３】
ウェアラブルセンサＷは、個別の通信部を有し、当該通信部を介して指導支援サーバ３００に生体情報を送信してもよいが、これに代えて、例えば、ＵＳＢなどにより被指導者端末１００に接続され、被指導者端末通信部１３０を介して生体情報を指導支援サーバ３００に送信してもよい。
【００４４】
液晶パネルのような表示装置とタッチパッドのような位置入力装置とが組み合わせられてタッチパネル１４０が構成されている。これに加えてまたは代えて、被指導者端末１００はキーボード及びマウス等の入力装置と、入力装置と別個に構成された表示装置とを備えてもよい。
【００４５】
カメラ１５０は、被指導者端末１００のタッチパネル１４０がある面に配置されている。代替的または付加的に、被指導者端末１００のタッチパネル１４０と異なる面にさらにカメラが設けられていてもよい。
【００４６】
マイク１６０は、被指導者端末１００のユーザの声を集音可能に被指導者端末１００に配置されている。
【００４７】
スピーカー１７０は、被指導者端末１００の適当な場所に配置されている。
【００４８】
（指導者端末）
指導者端末２００は、指導者端末制御部２１０と、指導者端末記憶部２２０と、指導者端末通信部２３０と、タッチパネル２４０と、カメラ２５０と、マイク２６０と、スピーカー２７０とを備える。指導者端末制御部２１０が、本発明の「出力制御部」に相当する。また、タッチパネル２４０及びスピーカー２７０のそれぞれが本発明の「出力部」に相当する。また、タッチパネル２４０、カメラ２５０及びマイク２６０のそれぞれが、本発明の「指導者端末入力部」の一例に相当する。また、タッチパネル２４０及びスピーカー２７０のそれぞれが、本発明の「指導者端末出力部」の一例に相当する。
【００４９】
指導者端末２００は、デスクトップコンピュータなど、特定箇所に設置されるように、サイズ、形状および重量が設計されているコンピュータにより構成されている。指導者端末２００は、タブレット型端末またはスマートフォンなど、指導者端末２００のユーザである指導者Ｕ２による携帯が可能なようにサイズ、形状および重量が設計されているコンピュータにより構成されていてもよい。指導者Ｕ２は、例えば、医師、歯科医師、看護師、栄養管理士など、被指導者Ｕ１に対して医療又は健康管理上の指導を行う者である。
【００５０】
指導者端末制御部２１０は、ＣＰＵ等の演算処理装置、メモリ、及びＩ／Ｏデバイスなどにより構成されている。指導者端末制御部２１０には、指導支援サーバ３００よりダウンロードした遠隔診療支援プログラムがインストールされている。遠隔診療支援プログラムが起動されることにより、指導者端末制御部２１０は、後述の演算処理を実行するように構成されている。
【００５１】
指導者端末記憶部２２０は、例えばＲＯＭ、ＲＡＭ、ＨＤＤ等の記憶装置により構成されている。指導者端末記憶部２２０は、あらかじめ登録された指導者Ｕ２の指導者ＩＤを記憶するように構成されている。
【００５２】
指導者端末通信部２３０は、有線通信またはＷｉＦｉ（登録商標）等の通信規格にしたがった無線通信を介して、指導支援サーバ３００などの外部端末と相互通信するよう構成されている。
【００５３】
液晶パネルのような表示装置とタッチパッドのような位置入力装置とが組み合わせられてタッチパネル２４０が構成されている。これに加えてまたは代えて、指導者端末２００はキーボード及びマウス等の入力装置と、入力装置と別個に構成された表示装置とを備えてもよい。
【００５４】
カメラ２５０は、指導者端末２００のタッチパネル２４０がある側に配置されている。代替的または付加的に、指導者端末２００のタッチパネル２４０と異なる面にさらにカメラが設けられていてもよい。
【００５５】
マイク２６０は、指導者端末２００のユーザの声を集音可能に指導者端末２００に配置されている。
【００５６】
スピーカー２７０は、指導者端末２００の適当な場所に配置されている。
【００５７】
（指導支援サーバ）
指導支援サーバ３００は、サーバ制御部３１０と、サーバ記憶部３２０と、サーバ通信部３３０とを備えている。なお、指導支援サーバ３００を構成するコンピュータの一部または全部が、他の端末、例えば、指導者端末２００を構成するコンピュータにより構成されていてもよい。例えば、移動局としての一または複数の指導者端末２００により、指導支援サーバ３００の一部または全部が構成されていてもよい。
【００５８】
サーバ制御部３１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。サーバ制御部３１０は、一のプロセッサにより構成されてもよく、相互通信可能な複数のプロセッサにより構成されてもよい。
【００５９】
サーバ制御部３１０は、所定のプログラムを読み込んで実行することにより、後述の演算処理を実行する指導反応予測部３１１、情報認識部３１２、指導補助情報探索部３１３及び評価部３１４として機能する。
【００６０】
サーバ記憶部３２０は、例えばＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されている。サーバ記憶部３２０は、サーバ制御部３１０の演算結果、又はサーバ制御部３１０がサーバ通信部３３０を介して受信したデータを記憶するように構成されている。
【００６１】
サーバ記憶部３２０は、第１要素記憶部３２１、第２要素記憶部３２２、被指導者情報記憶部３２３、アンケート記憶部３２４、アンケート回答記憶部３２５及び履歴記憶部３２６とを備える。
【００６２】
第１要素記憶部３２１は、図２Ａに示されるように、第１要素ＩＤ、指導対象の疾患、指導対象の基準値、指導のゴール、指導の課題、疾患の原因、ゴールを妨げる理由、指導カテゴリ、指導方針、指導の具体的な説明文、指導者Ｕ１の声のトーン、指導者Ｕ１の表情など、指導の内容又は指導の方法に関する要素の組合せを１又は複数格納している。以下、この組合せを「第１組合せ」と適宜いい、この組合せに含まれる各要素を「第１要素」と適宜いう。本明細書では、指導対象の疾患、指導対象の基準値、指導のゴール、指導の課題、疾患の原因、ゴールを妨げる理由、指導カテゴリ又は指導方針などの被指導者に伝える内容を指導の内容といい、声のトーン又は表情などの内容の伝え方に関する事項を指導の仕方という。なお、指導の具体的な説明文等の一部の要素は、指導の内容及び指導の仕方の両方の性質を持つことがある。
【００６３】
指導の具体的な説明文として、疾患の原因が「弁当の持ち帰りが多い」であることを例として説明すると、「まずはご家族で適正な味付けのお料理を体験していただき、少しづつ薄味に慣れていただくのもよいです。」といった薄味に慣れるとの施策の説明文と、「香辛料や酸味を効かせることで物足りなさを感じないお料理を仕上げることができます。」と、薄味に慣れる施策とは異なる施策の説明文とが採用されうる。
【００６４】
また、指導の具体的な説明文として、図２Ａには図示されていないが、運動習慣に関する指導を例として説明すると、「このような運動習慣を身に着ければ、定年を迎えた後も趣味やレジャーを楽しむ事が出来ますね。」との指導に従って運動習慣を身につけた場合の被指導者Ｕ１の利益を説明する説明文と、「このような運動習慣を身に着けずに今のままいれば、歩行困難・寝たきりになり、動脈硬化で亡くなるリスクが高くなります。」との指導に従わずに運動習慣を身につけられなかった場合の被指導者Ｕ１の不利益を説明する説明文とが採用されうる。これらの説明文は、例えば、「このような運動習慣を身に着ければ、定年を迎えた後も趣味やレジャーを楽しむ事が出来ますね。」「このくらい運動していれば、年を重ねても若々しく歩き、日常生活に支障なく過ごせますね。」「運動することでたまに飲みすぎても自分を許すことが出来そうですね。」「あまり運動しないと、筋肉が落ち骨ももろくなり怪我をしやすくなります。」「このような運動習慣を身に着けずに今のままいれば、歩行困難・寝たきりになり、動脈硬化で亡くなるリスクが高くなります。」のように、利益、不利益の程度が段階的に変更された説明文が採用されうる。
【００６５】
また、指導の内容が同一でも、その言い回しが変更された説明文は、異なる説明文として認識されうる。
【００６６】
第２要素記憶部３２２は、図２Ｂに示されるように、第２要素ＩＤ、指導者Ｕ２の性別、指導者Ｕ２の年齢、指導間隔など、第１要素と異なる指導に関する要素の組合せを１または複数格納している。以下、この組合せを「第２組合せ」と適宜いい、この組合せに含まれる各要素を「第２要素」と適宜いう。また、第１要素及び第２要素を総称して、「指導の要素」と適宜いう。
【００６７】
被指導者情報記憶部３２３は、図２Ｃに示されるように、被指導者ＩＤ、被指導者Ｕ１の氏名、被指導者Ｕ１の性別、被指導者Ｕ１の生活習慣、被指導者Ｕ１の年齢、被指導者Ｕ１の疾患及び被指導者Ｕ１の最新の血圧等の生体情報等の、被指導者Ｕ１由来の情報を格納している。
【００６８】
アンケート記憶部３２４は、図３Ａに示されるように、アンケートＩＤ，アンケートカテゴリ、質問、各レベルごとの判断基準（図３Ａでは、レベル５、レベル３、レベル１を例示）を格納している。アンケートカテゴリには、運動習慣、食習慣、疾患、体調、精神状態、モチベーション、資質、外部環境、スキル及び過去の経験などが含まれうる。
【００６９】
アンケート回答記憶部３２５は、図３Ｂに示されるように、被指導者ＩＤ、アンケート回答日時、アンケートＩＤ、回答されたレベルを格納している。
【００７０】
履歴記憶部３２６は、図３Ｃに示されるように、日時、被指導者ＩＤ、第１要素ＩＤ、第２要素ＩＤ、被指導者Ｕ１の表情、被指導者Ｕ１の声のトーン、被指導者Ｕ１の行動、被指導者Ｕ１の意向レベル、指導に対する結果等の指導時及び指導の前後に取得された指導に関する情報を格納している。
【００７１】
サーバ記憶部３２０は、さらに、被指導者Ｕ１のレセプトデータ及び被指導者Ｕ１の健康診断の結果に関するデータを記憶していてもよい。これらのデータは、病院又は健康保険組合等の外部の端末からサーバ通信部３３０を介して受信し、または、ＵＳＢメモリ、ＣＤ、ＤＶＤ等の記憶媒体から読み取られる等により認識されうる。
【００７２】
サーバ記憶部３２０は、サーバ通信部３３０を介して指導者端末２００から受信した生活習慣病の罹患を予防又は重症化を予防するための予防医療に関する指導の履歴情報を記憶していてもよいし、サーバ通信部３３０を介して指導者端末２００から受信した生活習慣病の病状を快方へ向かわせるための治療の履歴情報を記憶していてもよい。
【００７３】
サーバ通信部３３０は、ネットワークとしての公衆通信網（例えばインターネット）に接続され、被指導者端末１００及び指導者端末２００等の外部の端末と通信する通信装置により構成されている。
【００７４】
（指導支援処理の概要）
図４を参照して、指導支援処理の概要を説明する。
【００７５】
まず、被指導者端末１００、指導者端末２００及び指導支援サーバ３００は、互いに通信を介してデータを送受信することにより、指導前処理を実行する（図４／ＳＴＥＰ１００）。指導前処理の詳細は後述する。
【００７６】
そして、被指導者端末１００、指導者端末２００及び指導支援サーバ３００は、互いに通信を介してデータを送受信することにより、指導時処理を実行する（図４／ＳＴＥＰ２００）。指導時処理の詳細は後述する。
【００７７】
そして、被指導者端末１００、及び指導支援サーバ３００は、互いに通信を介してデータを送受信することにより、指導後処理を実行する（図４／ＳＴＥＰ３００）。指導後処理の詳細は後述する。
【００７８】
指導支援サーバ３００は、図４／ＳＴＥＰ１００〜ＳＴＥＰ３００で得られるデータに基づいて基準更新処理を実行する（図４／ＳＴＥＰ４００）。基準更新処理の詳細は後述する。
【００７９】
（指導前処理）
次に、図５を参照して、図４／ＳＴＥＰ１００の指導前処理の詳細を説明する。なお、指導支援サーバ３００は、不図示の予約情報などに基づいて本処理の当日に指導を受ける被指導者Ｕ１の被指導者端末１００及び被指導者ＩＤ並びに指導をする指導者Ｕ２の指導者端末２００及び指導者ＩＤを特定する。
【００８０】
情報認識部３１２は、アンケート記憶部３２４からアンケート情報を読み込む（図５／ＳＴＥＰ１６２）。情報認識部３１２は、読み込んだアンケート情報をサーバ通信部３３０を介して被指導者端末１００に送信する（図５／ＳＴＥＰ１６４）。
【００８１】
アンケート情報には、例えば、指導に取り組む意欲を尋ねる情報、前回の指導で指摘された行動を行ったかどうかを尋ねる情報、被指導者Ｕ１の最近の生活習慣（運動習慣、食習慣）、最近の体調、精神状態、外部環境、スキル、過去の経験を尋ねる情報が含まれる。最近の体調を尋ねる情報は、例えば、自分が健康だと思うか等の被指導者Ｕ１の主観的な健康感を尋ねる情報であってもよいし、血圧等の被指導者Ｕ１の客観的な健康状態を尋ねる情報であってもよい。
【００８２】
被指導者端末制御部１１０は、被指導者端末通信部１３０を介してアンケート情報を受信したか否かを判定する（図５／ＳＴＥＰ１２２）。当該判定結果が否定的である場合（図５／ＳＴＥＰ１２２・・ＮＯ）、被指導者端末制御部１１０は、図５／ＳＴＥＰ１２２の処理を実行する。
【００８３】
当該判定結果が肯定的である場合（図５／ＳＴＥＰ１２２・・ＹＥＳ）、被指導者端末制御部１１０は、受信したアンケート情報を含むアンケート画面をタッチパネル１４０に出力する（図５／ＳＴＥＰ１２４）。アンケート画面には、例えば、ＶＡＳ（Ｖｉｓｕａｌ  Ａｎａｌｏｇｕｅ  Ｓｃａｌｅ）に関する入力フォーム（例えばスライドバーなど）が含まれる。
【００８４】
被指導者端末制御部１１０は、タッチパネル１４０を介してアンケートの回答を認識する（図５／ＳＴＥＰ１２６）。
【００８５】
被指導者端末制御部１１０は、被指導者端末通信部１３０を介して認識されたアンケート回答をアンケートＩＤと被指導者端末記憶部１２０に記憶された被指導者ＩＤとともに指導支援サーバ３００に送信する（図５／ＳＴＥＰ１２８）。
【００８６】
情報認識部３１２は、サーバ通信部３３０を介してアンケートの回答を受信したか否かを判定する（図５／ＳＴＥＰ１６６）。当該判定結果が否定的である場合（図５／ＳＴＥＰ１６６・・ＮＯ）、情報認識部３１２は、図５／ＳＴＥＰ１６６の処理を実行する。
【００８７】
当該判定結果が肯定的である場合（図５／ＳＴＥＰ１６６・・ＹＥＳ）、情報認識部３１２は、受信したアンケートの回答をアンケート回答記憶部３２５に記憶させる（図５／ＳＴＥＰ１６８）。
【００８８】
また、情報認識部３１２は、アンケートの回答に基づいて前回の指導に対して、指導を受け入れるかどうかの被指導者Ｕ１の意欲の度合い、被指導者Ｕ１の行動の有無、被指導者Ｕ１の健康状態を認識する（図５／ＳＴＥＰ１７０）。例えば、情報認識部３１２は、アンケート画面で指定された前回の指導に対する取り組む意欲の度合いを示すパラメータ、前回の指導で指摘された行動を行ったかどうかを示すパラメータ、最近の健康状態（例えば、被指導者Ｕ１の主観的な健康観、体調又は精神状態）を示すパラメータを認識する。
【００８９】
情報認識部３１２は、認識した被指導者Ｕ１の意欲の度合い、被指導者Ｕ１の行動の有無、被指導者Ｕ１の健康状態に基づいて履歴記憶部３２６に記憶された履歴情報を更新する（図５／ＳＴＥＰ１７２）。情報認識部３１２は、履歴情報のうち、被指導者Ｕ１の被指導者ＩＤを含むレコードのうち日時が最新のレコード（換言すれば、前回の指導に関するレコード）の情報を更新する。
【００９０】
また、指導者端末制御部２１０は、指導者端末通信部２３０を介して被指導者端末１００とオンライン通話処理を実行する（図５／ＳＴＥＰ１４２）。
【００９１】
そして、指導者端末制御部２１０は、タッチパネル２４０を介して入力されたヒアリング情報を認識し（図５／ＳＴＥＰ１４４）、認識したヒアリング情報を指導者端末通信部２３０を介して指導支援サーバ３００に送信する（図５／ＳＴＥＰ１４６）。
【００９２】
ヒアリング情報は、指導者Ｕ２により、被指導者Ｕ１からヒアリングされた情報であり、例えば、指導に対する被指導者Ｕ１の意欲の度合い、指導に示された行動を被指導者Ｕ１が実行したか否か（又は実行した割合を０〜１００の数値で表した値）、被指導者Ｕ１の最近の生活習慣、被指導者Ｕ１の主観的な健康観、被指導者Ｕ１の体調又は疾患に関する生体情報（たとえば最新の血圧の値）などを含む情報である。ヒアリング情報は、初回の場合には、被指導者Ｕ１の氏名、被指導者Ｕ１の性別、被指導者Ｕ１の生年月日（又は年齢）などが含まれてもよい。指導者端末制御部２１０は、これらの項目を入力するための画面をタッチパネル２４０に出力してもよい。また、指導者Ｕ２が指導者端末２００を介して直接被指導者Ｕ１からヒアリングすることに限られず、指導者Ｕ２の補助者が指導者端末２００又は指導者端末２００とは別個の端末を用いて被指導者Ｕ１からヒアリングしてもよい。
【００９３】
また、これに加えて又は代えて、指導支援サーバ３００は、指導者端末２００等から受信した情報に基づいて、指導に対する被指導者Ｕ１の意向、被指導者Ｕ１の疾患の状態、指導に示された行動を被指導者Ｕ１が実行したか否かなどを問い合わせる情報を被指導者端末１００に送信し、これらの情報の入力を促す画面を被指導者端末１００に出力してもよい。この場合、入力された情報は、被指導者端末１００を介して指導者端末２００又は指導支援サーバ３００等に送信される。
【００９４】
情報認識部３１２は、サーバ通信部３３０を介してヒアリング情報を受信したか否かを判定する（図５／ＳＴＥＰ１７４）。当該判定結果が否定的である場合（図５／ＳＴＥＰ１７４・・ＮＯ）、情報認識部３１２は、図５／ＳＴＥＰ１７４の処理を実行する。
【００９５】
当該判定結果が肯定的である場合（図５／ＳＴＥＰ１７４・・ＹＥＳ）、情報認識部３１２は、受信したヒアリング情報に基づいて被指導者情報記憶部３２３に記憶される被指導者情報を更新する（図５／ＳＴＥＰ１７６）。
【００９６】
また、情報認識部３１２は、受信したヒアリング情報に含まれる指導に対する被指導者Ｕ１の意欲、指導に示された行動を被指導者Ｕ１が実行したか否か（又は実行した割合を０〜１００の数値で表した値）、最新の生体情報などに基づいて、履歴記憶部３２６に記憶される履歴情報を更新する（図５／ＳＴＥＰ１７８）。情報認識部３１２は、履歴情報のうち、被指導者Ｕ１の被指導者ＩＤを含むレコードのうち日時が最新のレコード（換言すれば、前回の指導に関するレコード）の情報を更新する。
【００９７】
（指導時処理）
次に、図６〜図９を参照して、指導時処理を説明する。なお、指導支援サーバ３００は、不図示の予約情報などに基づいて本処理の当日に指導を受ける被指導者Ｕ１の被指導者端末１００及び被指導者ＩＤ並びに指導をする指導者Ｕ２の指導者端末２００及び指導者ＩＤを特定する。
【００９８】
情報認識部３１２は、被指導者ＩＤに基づいて、被指導者情報記憶部３２３、アンケート回答記憶部３２５及び履歴記憶部３２６を参照して、指導に取り組む被指導者Ｕ１の意欲を示すパラメータ、歩数等の前回の指導に被指導者Ｕ１が従ったかどうかを示す情報及び被指導者Ｕ１の被指導者健康状態情報を含む情報を認識する（図６／ＳＴＥＰ２６２）。被指導者健康状態情報とは、被指導者Ｕ１の健康状態を表す情報であり、例えば、被指導者Ｕ１の病名及び薬量等の前回の診療結果、血圧、血糖などの今回指導前の生体情報、被指導者Ｕ１の主観的な健康観に関する情報、予防医療の割合、治療の割合、今回指導前の精神状態を示す情報である。図６／ＳＴＥＰ２６２で認識される情報には、上記の他に、年齢、性別、生活習慣等の被指導者Ｕ１の属性が含まれる。図６／ＳＴＥＰ２６２で認識される情報は、それぞれの情報を示すパラメータのセットで表されうる。
【００９９】
情報認識部３１２は、例えば、今回の指導前処理で取得されたアンケートの回答に示される意欲の度合い、今回の指導前処理で取得されたヒアリング情報に示される意欲の度合い、前回の指導時処理で取得された被指導者Ｕ１の表情、被指導者Ｕ１の声のトーンなどに基づいて、指導に取り組む被指導者Ｕ１の意欲を示すパラメータを認識してもよい。情報認識部３１２は、前回の指導時処理で取得された被指導者Ｕ１の表情が笑顔等の所定の表情の場合に、表情が所定の表情でない場合よりも、被指導者Ｕ１の意欲を示すパラメータが高くなるように被指導者Ｕ１の意欲を示すパラメータを決定してもよい。情報認識部３１２は、前回の指導時処理で取得された被指導者Ｕ１の声のトーンが高い等の所定のトーンの場合に、声のトーンが所定のトーンでない場合よりも、被指導者Ｕ１の意欲のパラメータが高くなるように当該パラメータを決定してもよい。
【０１００】
情報認識部３１２は、前回の指導が、何歩以上歩く等、ウェアラブルセンサＷから得られる情報から直接的にその実行可否を判断できるものである場合には、情報認識部３１２は、ウェアラブルセンサＷから得た情報に基づいて前回の指導に従ったかどうかを示すパラメータを認識してもよい。また、これに加えてまたは代えて、情報認識部３１２は、今回の指導前処理で取得されたヒアリング情報に含まれる前回の指導に従って行動をしたか否かに関する情報に従って前回の指導に従ったかどうかを示すパラメータを認識してもよい。また、これらに加えてまたは代えて、情報認識部３１２は、今回の指導前処理で取得されたアンケートの回答に含まれる前回の指導に従って行動をしたか否かに関する情報に従って前回の指導に従ったかどうかを示すパラメータを認識してもよい。
【０１０１】
これらに代えてまたは加えて、情報認識部３１２は、ウェアラブルセンサＷから得られる情報から被指導者Ｕ１の体調の時系列の変化を示すパラメータを認識してもよい。これらに加えてまたは加えて、情報認識部３１２は、図６／ＳＴＥＰ２７２で記憶された薬剤の量の変化量から、被指導者Ｕ１の体調の時系列の変化を示すパラメータを認識してもよい。これらに加えてまたは加えて、情報認識部３１２は、サーバ記憶部３２０に記憶された健康診断データに示される被指導者Ｕ１の血圧等の生体情報の変化またはレセプトデータに示される診療行為、調剤行為、もしくは傷病名等の変化に基づいて、被指導者Ｕ１の体調の時系列の変化を示すパラメータを認識してもよい。これらに代えてまたは加えて、情報認識部３１２は、ウェアラブルセンサＷから得られる情報から被指導者Ｕ１の体調の時系列の変化を示すパラメータを認識してもよい。情報認識部３１２は、サーバ記憶部３２０に記憶された予防医療の履歴情報及び治療の履歴情報に基づいて、予防医療と治療との割合の時系列の変化を示すパラメータを認識してもよい。被指導者健康情報状態情報には、これらの変化を示すパラメータが含まれていてもよい。
【０１０２】
情報認識部３１２は、サーバ記憶部３２０に記憶された予防医療の履歴情報及び治療の履歴情報に基づいて、予防医療と治療とにかかる費用を示すパラメータを認識してもよい。また、情報認識部３１２は、サーバ記憶部３２０に記憶された薬剤及び薬剤の調剤量に基づいて、薬剤にかかる費用を示すパラメータを認識してもよい。図６／ＳＴＥＰ２６２で認識される情報には、これらの費用を示すパラメータが含まれていてもよい。
【０１０３】
図６／ＳＴＥＰ２６２で認識される情報には、被指導者Ｕ１の外部環境、スキル又は過去の経験が含まれていてもよい。
【０１０４】
指導補助情報探索部３１３は、図６／ＳＴＥＰ２６２で認識された情報に基づいて、指導補助情報を探索する（図６／ＳＴＥＰ２６４）。
【０１０５】
図７及び図８を参照して、指導補助情報の探索処理の詳細を説明する。
【０１０６】
指導補助情報探索部３１３は、図６／ＳＴＥＰ２６２で認識された情報Ｊ１（以下、前提情報Ｊ１という。）と、指導補助情報Ｊ２とを、指導反応予測部３１１に入力し、指導反応予測部３１１から出力される予測情報Ｊ３を取得する。
【０１０７】
指導補助情報Ｊ２は、第１要素記憶部３２１に記憶される第１組合せのいずれかを含む情報である。指導補助情報Ｊ２は、さらに、第１組合せに代えてまたは加えて第２要素記憶部３２２に記憶される第２組合せのいずれかを含む情報であってもよい。補足すると、指導補助情報Ｊ２は、指導機関又は指導者Ｕ２が決定又は調整できる事柄に関する情報であって、例えば、指導者Ｕ２に関する情報、指導のタイミングに関する情報又は指導の内容若しくは仕方に関する情報である。指導補助情報Ｊ２は、各第１要素及び各第２要素の一方または両方を示すパラメータのセットで表される。
【０１０８】
予測情報Ｊ３は、今回指導以降の被指導者Ｕ１の状態を予測する情報であって、疾患及び調剤される薬の量などの次回以降の指導における診療結果の予測、今回の指導以降における指導に対する被指導者Ｕ１の意欲の度合いの予測、今回の指導以降における指導に従った行動をとるかどうかの予測、今回の指導以降の被指導者Ｕ１の主観的な健康観に関する予測、今回の指導以降における被指導者Ｕ１の生体情報の予測、今回の指導以降の被指導者Ｕ１の精神状態の予測を含む情報である。予測情報Ｊ３は、各予測を示すパラメータのセットで表される。
【０１０９】
また、指導反応予測部３１１は、例えば、入力された一のパラメータまたは複数のパラメータのセットに対し、当該一のパラメータまたは当該複数のパラメータのセットに対応する一のパラメータまたは複数のパラメータのセットを出力する識別器である。
【０１１０】
この識別器は、例えば、機械学習により得られる。この学習の方法については後述する。
【０１１１】
例えば、ディープラーニングにおけるニューラルネットワークで相互に接続された関数が、指導反応予測部３１１の一例に該当する。また、サポートベクタマシーンの識別器が指導反応予測部３１１の他の例に該当する。
【０１１２】
また、互いに異なるパラメータを出力する複数の予測部（図７では、第１予測部３１１１、第２予測部３１１２、第３予測部３１１３、・・・）により、指導反応予測部３１１が構成されてもよい。より具体的には、前提情報Ｊ１に含まれる、ユーザの年齢を示すパラメータと、性別を示すパラメータと・・・、指導補助情報Ｊ２に含まれる、指導カテゴリを示すパラメータと、指導内容を示すパラメータと、・・・、が、入力されるパラメータのセット（以下、入力パラメータセットという。）であるとする。これらの入力パラメータセットは、前記複数の予測部のそれぞれ（第１予測部３１１１、第２予測部３１１２、第３予測部３１１３・・・）に入力される。これに代えて、各予測部に、個別のパラメータのセットが入力されてもよい。第１予測部３１１１は、例えば、今回の指導以降に指導に取り組む被指導者Ｕ１の意欲の度合いの予測を示すパラメータを出力する。また、第２予測部３１１２は、例えば、今回の指導以降に被指導者Ｕ１が指導された行動をとるかどうかの予測を示すパラメータを出力する。第３予測部３１１３は、例えば、今回指導以降における被指導者Ｕ１自身の主観的な健康観の予測を示すパラメータを出力する。このように、指導反応予測部３１１は、互いに異なるパラメータを出力する各予測部を備えるように構成されていてもよい。
【０１１３】
なお、指導補助情報Ｊ２に含まれる項目を示すパラメータは、それぞれの指導の要素（例えば、指導内容であれば、食事全体の塩分量を減らす指導又は香辛料を使用したお料理の提案）をパラメータ化したもの（例えば、食事全体の塩分量を減らす指導が１、香辛料を使用したお料理の提案が２）であってもよいし、指導の要素ごとに、その指導を採用する場合に１、その指導を採用しない場合に−１のような個別の値が設定されてもよい。
【０１１４】
そして、指導補助情報探索部３１３は、予測情報Ｊ３を評価部３１４に入力し、予測情報Ｊ３に対する評価値Ｖを得る。評価部３１４は、予測情報Ｊ３に示される次回以降の指導における診断結果の予測を示すパラメータ、今回の指導以降における指導に対する被指導者Ｕ１の意欲の度合いの予測を示すパラメータ、今回の指導以降における指導に従った行動をとるかどうかの予測を示すパラメータ、今回の指導以降の被指導者Ｕ１の主観的な健康観に関する予測を示すパラメータ、今回の指導以降における被指導者Ｕ１の生体情報の予測を示すパラメータ及び今回の指導以降の被指導者Ｕ１の精神状態の予測を示すパラメータが、被指導者Ｕ１の健康状態をより健康的な状態に向かわせる予測を示すパラメータであるほど、連続的または断続的に高い評価値とするように構成されている。
【０１１５】
次回以降の指導における診断結果の予測を示すパラメータが、被指導者Ｕ１の健康状態をより健康的な状態に向かわせる予測を示すパラメータであるとは、例えば、被指導者Ｕ１が疾患から回復されると診断されたり、調剤される薬剤の種類が軽めの薬剤となったり、調剤される薬剤の量または金額が軽減したりする予測を示すパラメータである。
【０１１６】
今回の指導以降における指導に対する被指導者Ｕ１の意欲の度合いの予測を示すパラメータが被指導者Ｕ１の健康状態をより健康的な状態に向かわせる予測を示すパラメータである例は、今回の指導以降のアンケート又は次回の指導前に取得されるアンケートに対する回答が、所定の回答となるという予測を示すパラメータである場合である。所定の回答とは、例えば被指導者Ｕ１が指導に従う意欲が高いことを示す回答である。また、これに加えて又は代えて、今回の指導以降における指導に対する被指導者Ｕ１の意欲の度合いの予測を示すパラメータが被指導者Ｕ１の健康状態をより健康的な状態に向かわせる予測を示すパラメータである例は、今回の指導以降のヒアリング又は次回の指導前に取得されるヒアリングに対する回答の予測を示すパラメータが、所定の回答となるという予測を示すパラメータである場合である。所定の回答とは、例えば被指導者Ｕ１が指導に従う意欲が高いことを示す回答である。上述した、今回の指導以降における指導に対する被指導者Ｕ１の意欲の度合いの予測を示すパラメータに対する、「被指導者Ｕ１の健康状態をより健康的な状態に向かわせる予測を示すパラメータ」が、本発明の「所定の意欲」を示す予測に相当する。
【０１１７】
今回の指導以降における指導に従った行動をとるかどうかの予測を示すパラメータが、被指導者Ｕ１の健康状態をより健康的な状態に向かわせる予測を示すパラメータである場合の例は、被指導者Ｕ１が今回の指導に従った行動をとるという予測を示すパラメータである場合である。上述した、今回の指導以降における指導に従った行動をとるかどうかの予測を示すパラメータに対する、「被指導者Ｕ１の健康状態をより健康的な状態に向かわせる予測を示すパラメータ」が、本発明の「所定の行動」を示す予測に相当する。
【０１１８】
今回の指導以降における被指導者Ｕ１の主観的な健康観の予測を示すパラメータが、被指導者Ｕ１の健康状態をより健康的な状態に向かわせる予測を示すパラメータである場合の例は、今回の指導以降における被指導者Ｕ１の主観的な健康観が、医学的に健康と定められた主観的な健康観の範囲に入るという予測を示すパラメータである場合である。
【０１１９】
今回の指導以降における被指導者Ｕ１の生体情報の予測を示すパラメータが、被指導者Ｕ１の健康状態をより健康的な状態に向かわせる予測を示すパラメータである場合の例は、今回の指導以降における被指導者Ｕ１の生体情報が、医学的に健康と定められた生体情報の範囲に入るという予測を示すパラメータである場合である。
【０１２０】
今回の指導以降における被指導者Ｕ１の生体情報の予測を示すパラメータが、被指導者Ｕ１の健康状態をより健康的な状態に向かわせる予測を示すパラメータである場合の例は、今回の指導以降における被指導者Ｕ１の生体情報が、医学的に健康と定められた生体情報の範囲に接近することを示す予測を示すパラメータである場合であってもよい。
【０１２１】
今回の指導以降の被指導者Ｕ１の精神状態の予測を示すパラメータが、被指導者Ｕ１の健康状態をより健康的な状態に向かわせる予測を示すパラメータである場合の例は、今回の指導以降の被指導者Ｕ１の精神状態が医学的に健康と定められた精神状態となるという予測を示すパラメータである場合である。
【０１２２】
上述した、被指導者Ｕ１の主観的な健康観の予測を示すパラメータ、被指導者Ｕ１の生体情報の予測を示すパラメータ及び被指導者Ｕ１の精神状態の予測を示すパラメータのそれぞれが、本発明の「被指導者の健康状態の変化の予測」に相当する。被指導者Ｕ１の主観的な健康観の予測を示すパラメータ、被指導者Ｕ１の生体情報の予測を示すパラメータ及び被指導者Ｕ１の精神状態の予測を示すパラメータのそれぞれに対する「被指導者Ｕ１の健康状態をより健康的な状態に向かわせる予測を示すパラメータ」が、本発明の「所定の変化」に相当する。
【０１２３】
血圧は、１４０／９０以上が高血圧であり、１３９〜１３０／８９〜８５が正常高血圧であり、１２９〜１２０／８４〜８０が正常血圧であるとされている。このようなことに鑑みて、評価部３１４は、例えば、血圧値が１４５／９５のように高血圧と診断されうる予測を示す場合、評価値を１とし、予測された血圧値が１３５／８８のように正常高血圧と診断されうる予測を示す場合、評価値を２とし、予測された血圧値が１２５／８３のように正常血圧と診断されうる予測を示す場合、評価値を３とするように、予測された事項の状態に応じて段階的な評価値を決定してもよい。
【０１２４】
評価部３１４は、それぞれのパラメータの重要度に応じてそれぞれのパラメータの評価値への影響の大きさを決定してもよい。
【０１２５】
評価部３１４は、機械学習に得られる識別器により構成されていてもよい。例えば、評価部３１４は、ディープラーニングのニューラルネットワークを構成するそれぞれの関数であってもよいし、サポートベクタ―マシーンの識別器であってもよい。この場合、例えば、医師等の指導者Ｕ２が、複数の予測情報Ｊ３を評価し、指導者端末２００を介して複数の予測情報Ｊ３のそれぞれの評価値を指定し、指導者端末２００が当該それぞれの評価値を指導支援サーバ３００に送信し、評価部３１４が、当該複数の予測情報Ｊ３を訓練データとし、この決定された評価値を教師データとして学習を行ってもよい。また、システムの利用で蓄積された被指導者Ｕ１の実際の情報と、所定の期間経過後の被指導者Ｕ１の情報に対する評価値をもとにして、教師データとしての予測情報Ｊ３の評価値が決定されてもよい。所定の期間経過後の被指導者Ｕ１の情報に対する評価値は、例えば、指導者端末２００を介して指導者Ｕ２により指定されたものであってもよい。
【０１２６】
指導補助情報探索部３１３は、評価部３１４により評価された評価値に基づいて、指導者Ｕ２に対して推薦する指導補助情報Ｊ２を探索する。
【０１２７】
より具体的には、指導補助情報探索部３１３は、例えば図８に示されるように、前提情報Ｊ１に対し、複数の指導補助情報Ｊ２１、Ｊ２２、Ｊ２３、を指導反応予測部３１１に入力して予測情報Ｊ３１、Ｊ３２、Ｊ３３・・・を得る。そして、指導補助情報探索部３１３は、予測情報Ｊ３１、Ｊ３２、Ｊ３３・・・を評価部３１４に入力し、予測情報Ｊ３１、Ｊ３２、Ｊ３３のそれぞれの評価値Ｖ１、Ｖ２、Ｖ３を得る。指導補助情報探索部３１３は、最高の評価値（図８では評価値Ｖ１）である指導補助情報Ｊ２（図８では指導補助情報Ｊ２１）を探索する。
【０１２８】
これに代えてまたは加えて、指導補助情報探索部３１３は、所定の範囲に入るような各予測を示すパラメータが最も多くなるような予測情報Ｊ３に対応する指導補助情報Ｊ２を探索してもよい。例えば、指導補助情報探索部３１３は、今回の指導以降において今回の指導に従う被指導者Ｕ１の意欲の度合いの予測を示すパラメータが所定の範囲（例えば、指導に従うことを示す範囲）に入り、今回の指導以降において、今回の指導に従って行動をするかどうかの予測を示すパラメータが所定の範囲（例えば、今回の指導に従って行動をすることを示す範囲）に入り、今回の指導以降における被指導者Ｕ１の生体情報の予測を示すパラメータが所定の範囲（例えば、血圧の場合、正常血圧となる範囲）に入るなど、所定の範囲に入るような各予測を示すパラメータが最も多くなるような予測情報Ｊ３に対応する指導補助情報Ｊ２を探索してもよい。
【０１２９】
各所定の範囲は、例えば、予め開発者等により指定された範囲がサーバ記憶部３２０に記憶されてもよいし、本システムにおいて得られる被指導者Ｕ１の好ましい生体情報と正の相関があるそれぞれのパラメータの範囲をそれぞれの所定の範囲としてもよいし、本システムにおいて得られる被指導者Ｕ１の好ましい生体情報と負の相関がないそれぞれのパラメータの範囲をそれぞれの所定の範囲としてもよい。
【０１３０】
指導反応予測部３１１は、図６／ＳＴＥＰ２６４で探索された指導補助情報Ｊ２をサーバ通信部３３０を介して指導者端末２００に送信する（図６／ＳＴＥＰ２６６）。
【０１３１】
指導者端末制御部２１０は、指導者端末通信部２３０を介して探索された指導補助情報Ｊ２を受信したか否かを判定する（図６／ＳＴＥＰ２４２）。当該判定結果が否定的である場合（図６／ＳＴＥＰ２４２・・ＮＯ）、指導者端末制御部２１０は、図６／ＳＴＥＰ２４２の処理を実行する。
【０１３２】
当該判定結果が肯定的である場合（図６／ＳＴＥＰ２４２・・ＹＥＳ）、指導者端末制御部２１０は、受信した指導補助情報Ｊ２をタッチパネル２４０に出力する（図６／ＳＴＥＰ２４４）。
【０１３３】
例えば、図９に示されるように、指導者端末制御部２１０は、指導支援画面Ｐ１をタッチパネル２４０に出力する。ここで、指導支援画面Ｐ１は、被指導者Ｕ１の疾患、生体情報、ゴール、課題、原因、課題解消を妨げる原因等の被指導者Ｕ１に関する情報の表示Ｐ１１、指導情報の表示Ｐ１２、指導の具体的な説明文の表示Ｐ１３、指導時の声のトーンの表示Ｐ１４及び指導時の表情の表示Ｐ１５が含まれている。指導者端末制御部２１０は、例えば、指導補助情報Ｊ２に含まれる情報に基づいて表示Ｐ１２〜Ｐ１５を作成し、さらに被指導者Ｕ１の被指導者ＩＤを指導支援サーバ３００に送信して被指導者Ｕ１の疾患、生体情報、ゴール、課題、原因、課題解消を妨げる原因等の被指導者Ｕ１に関する情報を取得してもよい。これに代えて、表示Ｐ１１〜Ｐ１５を構成するための情報が指導補助情報Ｊ２に含まれていてもよい。
【０１３４】
その後、指導者端末制御部２１０は、指導者端末通信部２３０を介して被指導者端末１００とのオンライン通話を実行する（図６／ＳＴＥＰ２６４）。オンライン通話では、指導者Ｕ２が、指導支援画面Ｐ１に即した指導を被指導者Ｕ１に対して行う。指導者Ｕ２は、自己の知見に応じて指導支援画面Ｐ１の内容をアレンジしてもよいが、本システムによる指導支援の効果を最大化するためには、指導支援画面Ｐ１に含まれる説明文をそのまま読み上げるなど、指導支援画面Ｐ１に従った指導を行うことが好ましい。
【０１３５】
被指導者端末制御部１１０は、オンライン通話に際して、カメラ１５０及びマイク１６０を介して、被指導者Ｕ１の表情及び声を撮像及び録音する（図６／ＳＴＥＰ２２２）。被指導者端末制御部１１０は、被指導者端末通信部１３０を介して、取得したデータを指導支援サーバ３００に送信する（図６／ＳＴＥＰ２２４）。
【０１３６】
また、指導者端末制御部２１０は、オンライン通話に際して、カメラ２５０及びマイク２６０を介して、指導者Ｕ２の表情及び声を撮像及び録音する（図６／ＳＴＥＰ２４８）。指導者端末制御部２１０は、指導者端末通信部２３０を介して、取得したデータを指導支援サーバ３００に送信する（図６／ＳＴＥＰ２５０）。
【０１３７】
情報認識部３１２は、サーバ通信部３３０を介して被指導者端末１００及び指導者端末２００からデータを受信したか否かを判定する（図６／ＳＴＥＰ２６８）。当該判定結果が否定的である場合（図６／ＳＴＥＰ２６８・・ＮＯ）、情報認識部３１２は、図６／ＳＴＥＰ２６８の処理を実行する。
【０１３８】
当該判定結果が肯定的である場合（図６／ＳＴＥＰ２６８・・ＹＥＳ）、情報認識部３１２は、受信したデータの分析を行う（図６／ＳＴＥＰ２７０）。ここでは、情報認識部３１２は、被指導者端末１００から受信した撮像データに含まれる被指導者Ｕ１の表情、被指導者端末１００から受信した録音データに含まれる被指導者Ｕ１の声のトーン、指導者端末２００から受信した撮像データに含まれる指導者Ｕ２の表情、指導者端末２００から受信した録音データに含まれる指導者Ｕ２の声のトーン、指導者端末２００から受信した録音データに含まれる指導者Ｕ２が指導に際して発言した文を分析し、パラメータ化する。情報認識部３１２は、例えば、機械学習により生成された識別器を用いて、図６／ＳＴＥＰ２７０の分析を行う。例えば、情報認識部３１２は、撮像データを表情分析を行う識別器に入力し、被指導者Ｕ１の表情の分類を行う。識別器は、表情の分類（笑顔等）に対応したパラメータを付与する。
【０１３９】
情報認識部３１２は、図６／ＳＴＥＰ２７０の分析結果得られたパラメータに基づいて、履歴記憶部３２６に記憶される履歴情報を更新する（図６／ＳＴＥＰ２７２）。情報認識部３１２は、指導者Ｕ２による指導が、選択された第１組合せの要素と一部または全部が異なる場合、新たな第１要素ＩＤと第１組合せとを生成し、生成された第１要素ＩＤと第１組合せとを第１要素記憶部３２１に記憶させるとともに、当該第１要素ＩＤを基に履歴情報を更新してもよい。情報認識部３１２は、どの種類の薬剤をどの程度調剤したかを示すパラメータを履歴情報に追加してもよい。情報認識部３１２は、指導者Ｕ２により診断された被指導者Ｕ１の病名を示すパラメータを履歴情報に追加してもよい。
【０１４０】
（指導後処理）
次に、図１０を参照して、図４／ＳＴＥＰ３００の指導後処理について説明する。
【０１４１】
被指導者端末制御部１１０は、ウェアラブルセンサＷとの通信を介してウェアラブルセンサＷから被指導者Ｕ１の生体情報、行動情報及びウェアラブルセンサＷの着用状態に関するデータを取得する（図１０／ＳＴＥＰ３２２）。ウェアラブルセンサＷから取得される被指導者Ｕ１の生体情報は、例えば、被指導者Ｕ１の収縮期血圧及び拡張期血圧を示す値のセットである。ウェアラブルセンサＷから取得される被指導者Ｕ１の行動情報は、例えば、日々の被指導者Ｕ１の歩数である。
【０１４２】
被指導者端末制御部１１０は、図１０／ＳＴＥＰ３２２で取得したデータを被指導者端末通信部１３０を介して指導支援サーバ３００に送信する（図１０／ＳＴＥＰ３２４）。
【０１４３】
情報認識部３１２は、サーバ通信部３３０を介して被指導者端末１００からデータを受信したか否かを判定する（図１０／ＳＴＥＰ３６２）。当該判定結果が否定的である場合（図１０／ＳＴＥＰ３６２・・ＮＯ）、情報認識部３１２は、図１０／ＳＴＥＰ３６２の処理を実行する。
【０１４４】
当該判定結果が否定的である場合（図１０／ＳＴＥＰ３６２・・ＮＯ）、情報認識部３１２は、取得したデータに示される被指導者Ｕ１の生体情報、行動情報及びウェアラブルセンサＷの着用状態に基づいて、履歴記憶部３２６に記憶される履歴情報を更新する（図１０／ＳＴＥＰ３６４）。情報認識部３１２は、例えば、ウェアラブルセンサＷから得られた情報をそのまま履歴情報に反映させてもよいし、ウェアラブルセンサＷから得られた情報に基づいて行動が今回の指導に従っているか及び指導の結果を評価し、当該評価を示すパラメータにより当該履歴情報を更新してもよい。
【０１４５】
（予測部学習処理）
次に、図１１を参照して、予測部学習処理を説明する。
【０１４６】
指導反応予測部３１１は、サーバ記憶部３２０に記憶された各種情報を示すパラメータに基づいて機械学習を行うことにより、各予測部３１１１、３１１２、３１１３、・・・を更新する（図１１／ＳＴＥＰ４６２）。
【０１４７】
例えば、以下において、今回の指導における前提情報Ｊ１を示すパラメータのセットと、今回の指導における図６／ＳＴＥＰ２７０で認識された今回の指導の内容及び今回の指導の仕方を示すパラメータのセットを第１データとする。今回の指導の仕方を示すパラメータのセットには、指導者端末２００のマイク２６０を介して収集された音声情報に示される今回の指導時における指導者Ｕ２の声のトーンを示すパラメータセット、指導者端末２００のカメラ２５０を介して撮像された今回の指導時における指導者Ｕ２の顔の表情を示すパラメータセットが含まれる。
【０１４８】
また、今回の指導以降の処理において得られた今回の指導に対する被指導者Ｕ１の意欲を示すパラメータのセット、今回の指導以降の処理において得られた今回の指導に被指導者Ｕ１が従ったかを示すパラメータのセット、今回の指導以降の処理において得られた被指導者Ｕ１の健康状態（例えば、主観的健康観、体調、精神状態）を示すパラメータのセット、次回の指導以降の処理において得られた被指導者Ｕ１に対する予防医療の費用又は治療の費用を示すパラメータのセットのうちの一部または全部を第２データとする。ここで、今回指導以降の処理とは、例えば、今回の指導時処理（図４／ＳＴＥＰ２００）以降に実行される、図５の処理、図６の処理又は図１０の処理であるが、これらに限られない。また、次回指導以降の処理とは、例えば、次回の指導時処理（図４／ＳＴＥＰ２００）以降に実行される、図５の処理、図６の処理又は図１０の処理であるが、これらに限られない。
【０１４９】
指導反応予測部３１１は、第１データを訓練データとし、第２データを教師信号として、例えば、ディープラーニング又はサポートベクターマシンによる教師信号ありの機械学習を行い、各予測部３１１１、３１１２、３１１３、・・・を更新する。
【０１５０】
指導反応予測部３１１は、訓練データ及び教師信号を、各予測部３１１１、３１１２、３１１３、・・・の機能に応じて選択してもよい。
【０１５１】
指導反応予測部３１１は、第１データ及び第２データを用いて、ディープラーニング等による教師信号なしの機械学習を行って各予測部３１１１、３１１２、３１１３、・・・を更新してもよい。
【０１５２】
指導補助情報探索部３１３は、図２Ａ及び図２Ｂに示される第１組合せ及び第２組合せを含む各指導補助情報Ｊ２と、学習後の指導反応予測部３１１と、評価部３１４とを用いて、各指導の要素を変更した時の評価値の変動の大きさが所定以上となる指導の要素を認識する（図１１／ＳＴＥＰ４６４）。
【０１５３】
例えば、指導補助情報探索部３１３は、図３Ｃの履歴情報等に基づいて、前提情報を示すパラメータのセットを作成する。これに加えてまたは代えて、指導補助情報探索部３１３は、ランダムなパラメータのセットを作成してもよい。一の前提情報のパラメータのセットが作成されてもよいし、複数の前提情報のパラメータのセットが作成されてもよい。
【０１５４】
そして、指導補助情報探索部３１３は、各指導補助情報Ｊ２に含まれる第１の指導の要素（例えば、指導時の説明文）を示すパラメータを変更し、新たな第１の指導補助情報（例えば、指導時の説明文Ａを説明文Ｂに変更した指導補助情報）を示すパラメータを作成する。指導補助情報探索部３１３は、当該第１の指導補助情報を示すパラメータと、作成した前提情報を示すパラメータを指導反応予測部３１１に入力し、当該第１の指導補助情報に対する予測情報を示すパラメータを得る。指導補助情報探索部３１３は、得られた予測情報を示すパラメータを評価部３１４に入力することにより、当該第１の指導補助情報に対する評価値を得る。指導補助情報探索部３１３は、第１の指導の要素のパラメータを変更し、新たな第２の指導補助情報（例えば、指導時の説明文Ｂを説明文Ｃに変更した指導補助情報）を示すパラメータを作成し、上記と同様の処理を実行して、第２の指導補助情報に対する評価値を得る。指導補助情報探索部３１３は、このようなことを繰り返すことにより、第１の指導の要素を変更した時の評価値を取得し、得られた評価値に基づいて第１の指導の要素を変更した時の評価値の変動の大きさ（例えば、分散又は最大値と最長値との差）を取得する。
【０１５５】
指導補助情報探索部３１３は、各指導補助情報Ｊ２に含まれる、第１の指導の要素と異なる第２の指導の要素（例えば、指導者Ｕ２の声のトーン）を示すパラメータを変更し、新たな第３の指導補助情報（例えば、声のトーンＤを声のトーンＥに変更した指導補助情報）を示すパラメータを作成する。指導補助情報探索部３１３は、第１の指導の要素と同様の処理を行うことにより、第２の指導の要素を変更した時の評価値の変動の大きさを取得する。
【０１５６】
指導補助情報探索部３１３は、各指導の要素を変更した時の評価値の変動の大きさが所定以上となる指導の要素を認識する。
【０１５７】
指導補助情報探索部３１３は、第１要素記憶部３２１に記憶されている第１組合せ又は第２要素記憶部３２２に記憶されている第２組合せのうち、図１１／ＳＴＥＰ４６４で認識された指導の要素（例えば、指導時の説明文）を変更した新たな組み合わせを作成し、第１要素記憶部３２１又は第２要素記憶部３２２に追加する（図１１／ＳＴＥＰ４６６）。
【０１５８】
ここで、指導補助情報探索部３１３は、それぞれの指導の内容に応じた規則に従って、指導の要素を変更する。
【０１５９】
例えば、対象の指導の内容が指導時の説明文であれば、指導補助情報探索部３１３は、当該指導時の説明文と同一又は同様の意味の説明文を生成する。より具体的には、指導補助情報探索部３１３は、当該指導時の説明文「・・・まずはご家族で適正な味付けのお料理を体験していただき、少しづつ薄味に慣れていただくのもよいです。」について、当該説明文に含まれる各単語と同一または同様の意味を有する用語の置き換え（例えば、適正な味付け→推奨される味付け）、文章の順番の入れ替え（「・・・まずは少しづつ薄味に慣れていただくため、ご家族で適正な味付けのお料理を体験していただくのもよいです。」）及び語尾等の定型的な用語の言いかえ（「・・・慣れていただいてはいかがでしょうか。」）などを行うことにより、同一または同様の意味の説明文を生成する。指導補助情報探索部３１３は、これらの処理にあたって、意味解析を行って、元の説明文と新たに生成された説明文とが同一または同様の意味の説明文であるかどうかを確認してもよい。また、指導補助情報探索部３１３は、これらの処理にあたって、単語間の意味距離などを用いて、用語の置き換え等を行ってもよい。
【０１６０】
また、例えば、対象の指導の内容が声のトーンであれば、指導補助情報探索部３１３は、サーバ記憶部３２０の履歴情報等を参照して、暗い声のトーンなどを取得し、当該声のトーンを変更する。
【０１６１】
図１１／ＳＴＥＰ４６６の処理の後、指導補助情報探索部３１３は、本処理を終了する。
【０１６２】
（本実施形態の作用効果）
本発明の指導支援システムによれば、指導補助情報探索部３１３により、情報認識部３１２により認識された対象の被指導者Ｕ１の情報に対し、指導反応予測部３１１により予測される対象の被指導者の意欲及び行動の一方または両方が所定の意欲及び所定の行動の一方または両方となるような指導補助情報Ｊ２が探索される（図６／ＳＴＥＰ２６４）。
【０１６３】
そして、指導者端末制御部２１０により、探索された指導補助情報Ｊ２がタッチパネル２４０に出力される。
【０１６４】
これにより、指導反応予測部３１１により予測される対象の被指導者Ｕ１の意欲及び行動を勘案して指導を適切に支援することが出来る。
【０１６５】
本発明の指導支援システムによれば、情報認識部３１２により、実際に行った指導の内容及び指導の仕方の一方または両方と、当該指導を受けた被指導者Ｕ１の情報と、指導以降の被指導者Ｕ１の意欲及び行動の一方または両方とが認識される（図５／ＳＴＥＰ１７０、図５／ＳＴＥＰ１７４〜図５／ＳＴＥＰ１７８、図６／ＳＴＥＰ２６８〜図６／ＳＴＥＰ２７２、図１０／ＳＴＥＰ３６２〜図１０／ＳＴＥＰ３６４）。
【０１６６】
そして、指導反応予測部３１１により、認識された実際に行った指導の内容及び指導の仕方の一方または両方と、当該指導が実際に行われた被指導者の反応情報と、当該指導以降の被指導者の意欲及び行動の一方または両方とを用いて予測の学習が行われる（図１１／ＳＴＥＰ４６２）。
【０１６７】
当該学習を繰り返すことにより、指導反応予測部３１１による対象の被指導者Ｕ１の意欲及び行動の予測精度が向上する。
【０１６８】
このように予測精度が向上した対象の被指導者Ｕ１の意欲及び行動が勘案されて指導の支援が行われることにより、指導をより適切に支援することが出来る。
【０１６９】
当該構成の指導支援システムによれば、情報認識部３１２が、被指導者端末入力部（タッチパネル１４０、カメラ１５０、マイク１６０）及び指導者端末入力部（タッチパネル２４０、カメラ２５０、マイク２６０）の一方または両方において遠隔での指導に際して入力された情報に基づいて、実際に行った指導の内容及び指導の仕方の一方または両方と、当該指導を実際に受けた被指導者Ｕ１からの情報と、当該指導以降の被指導者Ｕ１の意欲及び行動の一方または両方とを認識するように構成されている（図５／ＳＴＥＰ１７０、図５／ＳＴＥＰ１７４〜図５／ＳＴＥＰ１７８、図６／ＳＴＥＰ２６８〜図６／ＳＴＥＰ２７２、図１０／ＳＴＥＰ３６２〜図１０／ＳＴＥＰ３６４）。
【０１７０】
そして、指導反応予測部３１１により、情報認識部３１２により認識された実際に行った指導の内容及び指導の仕方の一方または両方と、当該指導を実際に受けた被指導者Ｕ１からの情報と、当該指導以降の被指導者Ｕ１の意欲及び行動の一方または両方とを用いて予測の学習が行われる。
【０１７１】
これにより、実際の遠隔での指導に際して取得される情報が活用されて学習が行われるので、学習の精度を向上させることができるとともに、情報収集に関する指導者Ｕ２又は被指導者Ｕ１の学習の作業負荷の軽減が図れる。
【０１７２】
当該構成の指導支援システムによれば、被指導者端末入力部（タッチパネル１４０、カメラ１５０、マイク１６０）において前記遠隔での指導に際して入力された情報に基づいて、実情報認識部により、当該指導を実際に受けた被指導者Ｕ１からの情報と、当該指導以降の被指導者Ｕ１の意欲及び行動の一方または両方とが認識される（図５／ＳＴＥＰ１７０、図５／ＳＴＥＰ１７４〜図５／ＳＴＥＰ１７８、図６／ＳＴＥＰ２６８〜図６／ＳＴＥＰ２７２、図１０／ＳＴＥＰ３６２〜図１０／ＳＴＥＰ３６４）。
【０１７３】
これにより、被指導者Ｕ１由来の情報を精度よく区別し、予測の学習を行うことができるので、予測の精度を向上させることができる。
【０１７４】
また、当該構成の指導支援システムによれば、被指導者Ｕ１の健康状態の変化の予測がさらに勘案されて指導補助情報Ｊ２が探索される（図６／ＳＴＥＰ２６４）。これにより、対象の被指導者Ｕ１の意欲及び行動に加え、被指導者Ｕ１の健康状態の変化が勘案されて指導が支援される。
【０１７５】
図１１／ＳＴＥＰ４６４〜図１１／ＳＴＥＰ４６６の処理により、評価値に比較的大きな影響を及ぼすと期待される指導の要素のさまざまなバリエーションを含む指導の要素の組合せが第１要素記憶部３２１又は第２要素記憶部３２２に記憶される。これらの新たに作成された指導の要素の組合せが次回以降の指導時処理の際に探索の対象となることにより、探索の対象の指導補助情報Ｊ２のバリエーションを増やすことができる。ひいては、図６のＳＴＥＰ２６４においてより多くの指導補助情報Ｊ２を評価部３１４により評価することができるので、より適切な指導補助情報Ｊ２を探索できる蓋然性が高まる。
【０１７６】
（他の実施形態）
指導者端末制御部２１０が、指導者端末記憶部２２０に記憶された所定のプログラムを実行することにより、指導反応予測部３１１、情報認識部３１２、指導補助情報探索部３１３及び評価部３１４の全部または一部として機能してもよい。この場合、指導者端末制御部２１０は、各処理の必要な情報を予め又は処理時に指導支援サーバ３００からダウンロードしてもよい。
【０１７７】
また、被指導者端末制御部１１０が、被指導者端末記憶部１２０に記憶された所定のプログラムを実行することにより、指導反応予測部３１１、情報認識部３１２、指導補助情報探索部３１３及び評価部３１４の全部または一部として機能してもよい。この場合、被指導者端末制御部１１０は、各処理の必要な情報を予め又は処理時に指導支援サーバ３００からダウンロードしてもよい。
【符号の説明】
【０１７８】
２１０・・指導者端末制御部（出力制御部）、２４０・・タッチパネル、３１１・・指導反応予測部、３１２・・情報認識部、３１３・・指導補助情報探索部、３２６・・履歴記憶部、Ｕ１・・被指導者、Ｕ２・・指導者。
【図１】
2019109859.tif 000003
【図２Ａ】
2019109859.tif 000004
【図２Ｂ】
2019109859.tif 000005
【図２Ｃ】
2019109859.tif 000006
【図３】
2019109859.tif 000007
【図４】
2019109859.tif 000008
【図５】
2019109859.tif 000009
【図６】
2019109859.tif 000010
【図７】
2019109859.tif 000011
【図８】
2019109859.tif 000012
【図９】
2019109859.tif 000013
【図１０】
2019109859.tif 000014
【図１１】
2019109859.tif 000015
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
情報を出力する出力部を有し、被指導者端末とオンライン通話可能に構成された指導者端末と、
指導の仕方を少なくとも示す指導補助情報と、被指導者の指導に取り組む過去の意欲及び前記被指導者の指導に応じた過去の行動の一方または両方を少なくとも示す情報とに基づいて、指導に取り組む前記被指導者の意欲及び指導に応じた前記被指導者の行動の一方または両方を予測する指導反応予測部と、
前記被指導者端末を使用する対象の被指導者の指導に取り組む過去の意欲及び当該対象の被指導者の指導に応じた過去の行動の一方または両方を少なくとも示す情報を認識する情報認識部と、
前記情報認識部により認識された前記対象の被指導者の指導に取り組む過去の意欲及び前記対象の被指導者の指導に応じた過去の行動の一方または両方を少なくとも示す情報に対し、前記指導反応予測部により予測される前記対象の被指導者の意欲及び行動の一方または両方が所定の意欲及び所定の行動の一方または両方となるような前記指導補助情報を探索する指導補助情報探索部と、
前記被指導者端末とのオンライン通話に際して、前記探索された前記指導補助情報を前記指導者端末の前記出力部に出力させる出力制御部とを備えることを特徴とする指導支援システム。
【請求項２】
請求項１記載の指導支援システムにおいて、
実際に行った指導の仕方と、当該指導を実際に受けた被指導者の指導に取り組む過去の意欲及び当該指導を実際に受けた被指導者の指導に応じた過去の行動の一方または両方を少なくとも示す情報と、当該指導以降の被指導者の意欲及び行動の一方または両方とを認識する実情報認識部を備え、
前記指導反応予測部は、前記実情報認識部により認識された実際に行った指導の仕方と、当該指導を実際に受けた被指導者の指導に取り組む過去の意欲及び当該指導を実際に受けた被指導者の指導に応じた過去の行動の一方または両方を少なくとも示す情報と、当該指導以降の被指導者の意欲及び行動の一方または両方とを用いて予測の学習を行うように構成されていることを特徴とする指導支援システム。
【請求項３】
請求項２記載の指導支援システムにおいて、
被指導者による入力を受け付ける被指導者端末入力部と、通信を行う被指導者端末通信部と、情報を出力する被指導者端末出力部とを備える被指導者端末と、
指導者による入力を受け付ける指導者端末入力部と、通信を行う指導者端末通信部と、情報を出力する指導者端末出力部とを備える指導者端末とを備え、
前記被指導者端末と前記指導者端末とは、各通信部を介して互いに通信することにより、前記指導者による前記被指導者への遠隔での指導を支援するように構成され、
前記実情報認識部は、被指導者端末入力部及び指導者端末入力部の一方または両方において前記遠隔での指導に際して入力された情報に基づいて、実際に行った指導の仕方と、当該指導を実際に受けた被指導者の指導に取り組む過去の意欲及び当該指導を実際に受けた被指導者の指導に応じた過去の行動の一方または両方を少なくとも示す情報と、当該指導以降の被指導者の意欲及び行動の一方または両方とを認識するように構成されていることを特徴とする指導支援システム。
【請求項４】
請求項３記載の指導支援システムにおいて、
前記実情報認識部は、被指導者端末入力部において前記遠隔での指導に際して入力された情報に基づいて、当該指導を実際に受けた被指導者の指導に取り組む過去の意欲及び当該指導を実際に受けた被指導者の指導に応じた過去の行動の一方または両方を少なくとも示す情報と、当該指導以降の被指導者の意欲及び行動の一方または両方とを認識するように構成されていることを特徴とする指導支援システム。
【請求項５】
請求項３又は４記載の指導支援システムにおいて、
前記実情報認識部は、指導者端末入力部において前記遠隔での指導に際して入力された情報に基づいて、実際に行った指導の仕方を認識するように構成されていることを特徴とする指導支援システム。
【請求項６】
請求項３〜５のうちいずれか１項記載の指導支援システムにおいて、
前記実情報認識部は、指導者端末入力部において前記遠隔での指導に際して入力された指導者の音声情報及び指導者の表情を示す画像の一方または両方に基づいて、実際に行った指導の仕方を認識するように構成されていることを特徴とする指導支援システム。
【請求項７】
請求項１〜６のうちいずれか１項記載の指導支援システムにおいて、
前記指導反応予測部は、指導の仕方を少なくとも示す指導補助情報と被指導者の健康状態を表す被指導者健康状態情報とに基づいて、前記被指導者の指導に取り組む前記被指導者の意欲及び前記被指導者の指導に応じた前記被指導者の行動の一方または両方に加え、指導の前後における前記被指導者の健康状態の変化を予測するように構成され、
前記指導補助情報探索部は、前記情報認識部により認識された前記対象の被指導者の反応情報に対し、前記指導反応予測部により予測される前記対象の被指導者の意欲及び行動の一方または両方が所定の意欲及び所定の行動の一方または両方となり、かつ、前記指導反応予測部により予測される前記指導の前後における前記被指導者の健康状態の変化が所定の変化となるような前記指導補助情報を探索するように構成されていることを特徴とする指導支援システム。
【請求項８】
情報を出力する出力部を有し、被指導者端末とオンライン通話可能に構成された指導者端末と、
指導の仕方を少なくとも示す指導補助情報と、被指導者の指導に取り組む過去の意欲及び前記被指導者の指導に応じた過去の行動の一方または両方を少なくとも示す情報とに基づいて、指導に取り組む前記被指導者の意欲及び指導に応じた前記被指導者の行動の一方または両方を予測する指導反応予測部とを備えるシステムが実行する方法であって、
前記被指導者端末を使用する対象の被指導者の指導に取り組む過去の意欲及び当該対象の被指導者の指導に応じた過去の行動の一方または両方を少なくとも示す情報を認識する情報認識ステップと、
前記情報認識ステップにおいて認識された前記対象の被指導者の指導に取り組む過去の意欲及び前記対象の被指導者の指導に応じた過去の行動の一方または両方を少なくとも示す情報に対し、前記指導反応予測部により予測される前記対象の被指導者の意欲及び行動の一方または両方が所定の意欲及び所定の行動の一方または両方となるような前記指導補助情報を探索する指導補助情報探索ステップと、
前記被指導者端末とのオンライン通話に際して、前記探索された前記指導補助情報を前記指導者端末の前記出力部に出力させる出力制御ステップとを含むことを特徴とする指導支援方法。
【請求項９】
情報を出力する出力部を有し、被指導者端末とオンライン通話可能に構成された指導者端末と、
指導の仕方を少なくとも示す指導補助情報と、被指導者の指導に取り組む過去の意欲及び前記被指導者の指導に応じた過去の行動の一方または両方を少なくとも示す情報とに基づいて、指導に取り組む前記被指導者の意欲及び指導に応じた前記被指導者の行動の一方または両方を予測する指導反応予測部とを備えるシステムに、
前記被指導者端末を使用する対象の被指導者の指導に取り組む過去の意欲及び当該対象の被指導者の指導に応じた過去の行動の一方または両方を少なくとも示す情報を認識する情報認識ステップと、
前記情報認識ステップにおいて認識された前記対象の被指導者の指導に取り組む過去の意欲及び前記対象の被指導者の指導に応じた過去の行動の一方または両方を少なくとも示す情報に対し、前記指導反応予測部により予測される前記対象の被指導者の意欲及び行動の一方または両方が所定の意欲及び所定の行動の一方または両方となるような前記指導補助情報を探索する指導補助情報探索ステップと、
前記被指導者端末とのオンライン通話に際して、前記探索された前記指導補助情報を前記出力部に出力させる出力制御ステップとを実行させることを特徴とする指導支援プログラム。
【手続補正２】
【補正対象書類名】明細書
【補正対象項目名】０００７
【補正方法】変更
【補正の内容】
【０００７】
本発明の指導支援システムは、
情報を出力する出力部を有し、被指導者端末とオンライン通話可能に構成された指導者端末と、
指導の仕方を少なくとも示す指導補助情報と、被指導者の指導に取り組む過去の意欲及び前記被指導者の指導に応じた過去の行動の一方または両方を少なくとも示す情報とに基づいて、指導に取り組む前記被指導者の意欲及び指導に応じた前記被指導者の行動の一方または両方を予測する指導反応予測部と、
前記被指導者端末を使用する対象の被指導者の指導に取り組む過去の意欲及び当該対象の被指導者の指導に応じた過去の行動の一方または両方を少なくとも示す情報を認識する情報認識部と、
前記情報認識部により認識された前記対象の被指導者の指導に取り組む過去の意欲及び前記対象の被指導者の指導に応じた過去の行動の一方または両方を少なくとも示す情報に対し、前記指導反応予測部により予測される前記対象の被指導者の意欲及び行動の一方または両方が所定の意欲及び所定の行動の一方または両方となるような前記指導補助情報を探索する指導補助情報探索部と、
前記被指導者端末とのオンライン通話に際して、前記探索された前記指導補助情報を前記指導者端末の前記出力部に出力させる出力制御部とを備えることを特徴とする。
【手続補正３】
【補正対象書類名】明細書
【補正対象項目名】０００８
【補正方法】変更
【補正の内容】
【０００８】
本発明の指導支援システムによれば、指導反応予測部は、指導の仕方を少なくとも示す指導補助情報と、被指導者の指導に取り組む過去の意欲及び前記被指導者の指導に応じた過去の行動の一方または両方を少なくとも示す情報とに基づいて、指導に取り組む前記被指導者の意欲及び指導に応じた前記被指導者の行動の一方または両方を予測する。
また、指導補助情報探索部は、情報認識部により認識された前記対象の被指導者の指導に取り組む過去の意欲及び前記対象の被指導者の指導に応じた過去の行動の一方または両方を少なくとも示す情報に対し、前記指導反応予測部により予測される前記対象の被指導者の意欲及び行動の一方または両方が所定の意欲及び所定の行動の一方または両方となるような前記指導補助情報を探索する。
生活習慣病のように、特定の療法よりも患者の行動が疾患に大きな影響をもたらす場合、患者の意欲又は行動等の指導に対する患者の反応を勘案して指導をすることが重要であるところ、「被指導者の指導に取り組む過去の意欲及び前記被指導者の指導に応じた過去の行動の一方または両方を少なくとも示す情報に基づいて指導に取り組む前記被指導者の意欲及び指導に応じた前記被指導者の行動の一方または両方を予測」し、「前記指導反応予測部により予測される前記対象の被指導者の意欲及び行動の一方または両方が所定の意欲及び所定の行動の一方または両方となるような前記指導補助情報を探索」することにより、指導に対する被指導者の反応を勘案して指導を適切に支援することが出来る。
【手続補正４】
【補正対象書類名】明細書
【補正対象項目名】０００９
【補正方法】変更
【補正の内容】
【０００９】
そして、当該構成の指導支援システムは、「情報を出力する出力部を有し、被指導者端末とオンライン通話可能に構成された指導者端末」を備える。
また、当該構成の指導支援システムは、「被指導者端末とのオンライン通話に際して、指導補助情報探索部により探索された指導補助情報を指導者端末の出力部に出力」させる。
被指導者端末とオンライン通話可能に構成されたシステムにおいて、指導に取り組む被指導者の意欲又は指導後の被指導者の行動を所定の意欲又は行動にするためには、指導者の指導の仕方（声のトーン又は表情などの内容の伝え方に関する事項）が重要であるところ、「被指導者端末とのオンライン通話に際して、指導補助情報探索部により探索された、指導の仕方を少なくとも示す指導補助情報が指導者端末の出力部に出力」することにより、指導者による指導の仕方を考慮して指導を適切に支援することが出来る。
【手続補正５】
【補正対象書類名】明細書
【補正対象項目名】００１１
【補正方法】変更
【補正の内容】
【００１１】
本発明の指導支援システムにおいて、
実際に行った指導の仕方と、当該指導を実際に受けた被指導者の指導に取り組む過去の意欲及び当該指導を実際に受けた被指導者の指導に応じた過去の行動の一方または両方を少なくとも示す情報と、当該指導以降の被指導者の意欲及び行動の一方または両方とを認識する実情報認識部を備え、
前記指導反応予測部は、前記実情報認識部により認識された実際に行った指導の仕方と、当該指導を実際に受けた被指導者の指導に取り組む過去の意欲及び当該指導を実際に受けた被指導者の指導に応じた過去の行動の一方または両方を少なくとも示す情報と、当該指導以降の被指導者の意欲及び行動の一方または両方とを用いて予測の学習を行うように構成されていることが好ましい。
【手続補正６】
【補正対象書類名】明細書
【補正対象項目名】００１２
【補正方法】変更
【補正の内容】
【００１２】
本発明の指導支援システムによれば、前記実情報認識部により、実際に行った指導の仕方と、当該指導が実際に行われた被指導者の指導に取り組む過去の意欲及び当該指導を実際に受けた被指導者の指導に応じた過去の行動の一方または両方を少なくとも示す情報と、指導を受けた際の被指導者の意欲及び行動の一方または両方とが認識される。
【手続補正７】
【補正対象書類名】明細書
【補正対象項目名】００１３
【補正方法】変更
【補正の内容】
【００１３】
そして、前記指導反応予測部により、認識された実際に行った指導の仕方と、当該指導が実際に行われた被指導者の反応情報と、当該指導以降の被指導者の意欲及び行動の一方または両方とを用いて予測の学習が行われる。
【手続補正８】
【補正対象書類名】明細書
【補正対象項目名】００１６
【補正方法】変更
【補正の内容】
【００１６】
当該の指導支援システムにおいて、
被指導者による入力を受け付ける被指導者端末入力部と、通信を行う被指導者端末通信部と、情報を出力する被指導者端末出力部とを備える被指導者端末と、
指導者による入力を受け付ける指導者端末入力部と、通信を行う指導者端末通信部と、情報を出力する指導者端末出力部とを備える指導者端末とを備え、
前記被指導者端末と前記指導者端末とは、各通信部を介して互いに通信することにより、前記指導者による前記被指導者への遠隔での指導を支援するように構成され、
前記実情報認識部は、被指導者端末入力部及び指導者端末入力部の一方または両方において前記遠隔での指導に際して入力された情報に基づいて、実際に行った指導の仕方と、当該指導を実際に受けた被指導者の指導に取り組む過去の意欲及び当該指導を実際に受けた被指導者の指導に応じた過去の行動の一方または両方を少なくとも示す情報と、当該指導以降の被指導者の意欲及び行動の一方または両方とを認識するように構成されていることが好ましい。
【手続補正９】
【補正対象書類名】明細書
【補正対象項目名】００１７
【補正方法】変更
【補正の内容】
【００１７】
当該構成の指導支援システムによれば、実情報認識部が、被指導者端末入力部及び指導者端末入力部の一方または両方において遠隔での指導に際して入力された情報に基づいて、実際に行った指導の仕方と、当該指導を実際に受けた被指導者の指導に取り組む過去の意欲及び当該指導を実際に受けた被指導者の指導に応じた過去の行動の一方または両方を少なくとも示す情報と、当該指導以降の被指導者の意欲及び行動の一方または両方とを認識するように構成されている。
【手続補正１０】
【補正対象書類名】明細書
【補正対象項目名】００１８
【補正方法】変更
【補正の内容】
【００１８】
そして、前記指導反応予測部により、前記実情報認識部により認識された実際に行った指導の仕方と、当該指導を実際に受けた被指導者の指導に取り組む過去の意欲及び当該指導を実際に受けた被指導者の指導に応じた過去の行動の一方または両方を少なくとも示す情報と、当該指導以降の被指導者の意欲及び行動の一方または両方とを用いて予測の学習が行われる。
【手続補正１１】
【補正対象書類名】明細書
【補正対象項目名】００２０
【補正方法】変更
【補正の内容】
【００２０】
当該の指導支援システムにおいて、
前記実情報認識部は、被指導者端末入力部において前記遠隔での指導に際して入力された情報に基づいて、当該指導を実際に受けた被指導者の指導に取り組む過去の意欲及び当該指導を実際に受けた被指導者の指導に応じた過去の行動の一方または両方を少なくとも示す情報と、当該指導以降の被指導者の意欲及び行動の一方または両方とを認識するように構成されていることが好ましい。
【手続補正１２】
【補正対象書類名】明細書
【補正対象項目名】００２１
【補正方法】変更
【補正の内容】
【００２１】
当該構成の指導支援システムによれば、被指導者端末入力部において入力された情報は被指導者が入力した情報であると推察されるところ、被指導者端末入力部において前記遠隔での指導に際して入力された情報に基づいて、実情報認識部により、当該指導を実際に受けた被指導者の指導に取り組む過去の意欲及び当該指導を実際に受けた被指導者の指導に応じた過去の行動の一方または両方を少なくとも示す情報と、当該指導以降の被指導者の意欲及び行動の一方または両方とが認識される。
【手続補正１３】
【補正対象書類名】明細書
【補正対象項目名】００２３
【補正方法】変更
【補正の内容】
【００２３】
当該の指導支援システムにおいて、
前記実情報認識部は、指導者端末入力部において前記遠隔での指導に際して入力された情報に基づいて、実際に行った指導の仕方を認識するように構成されていることが好ましい。
【手続補正１４】
【補正対象書類名】明細書
【補正対象項目名】００２４
【補正方法】変更
【補正の内容】
【００２４】
当該構成の指導支援システムによれば、指導者端末入力部において入力された情報は指導者が入力した情報であると推察されるところ、指導者端末入力部において前記遠隔での指導に際して入力された情報に基づいて、実情報認識情報部により、実際に行われた指導の仕方が認識される。
【手続補正１５】
【補正対象書類名】明細書
【補正対象項目名】００２８
【補正方法】変更
【補正の内容】
【００２８】
本発明の指導支援システムにおいて、
前記指導反応予測部は、指導の仕方を少なくとも示す指導補助情報と被指導者の健康状態を表す被指導者健康状態情報とに基づいて、前記被指導者の指導に取り組む前記被指導者の意欲及び前記被指導者の指導に応じた前記被指導者の行動の一方または両方に加え、指導の前後における前記被指導者の健康状態の変化を予測するように構成され、
前記指導補助情報探索部は、前記情報認識部により認識された前記対象の被指導者の反応情報に対し、前記指導反応予測部により予測される前記対象の被指導者の意欲及び行動の一方または両方が所定の意欲及び所定の行動の一方または両方となり、かつ、前記指導反応予測部により予測される前記指導の前後における前記被指導者の健康状態の変化が所定の変化となるような前記指導補助情報を探索するように構成されていることが好ましい。